(57)【要約】      （修正有）【課題】車両をバックさせる時の安全確認ミラーである車両の右側確認鏡と車両を運転中に停車させて後部座席の様子を確認するタクシー等の事業用車両の車内視認ミラーを自家用車にも使用出来る様に用途変更して両方を組み合わせ、両方の機能を持たせた多機能なミラーを提供する。【解決手段】ミラー１は広角ミラーであるがフラットなフレネル型ミラーであり、その周囲は安全の為角を無くしている。また、前記ミラー１はウインドウガラスに密着させる為にその裏面に両面テープを備え、更にその両面テープの剥離紙の表面上の一部に仮止めの為の両面テープを備える。【選択図】図１
0003202547.tif 000002
【実用新案登録請求の範囲】
【請求項１】
右ハンドルの車両において車両をバックさせる時の為の左側後部ウインドウガラスの内側に配置された車両の右側確認鏡の機能に加えて通常運転中にも車両を停車させ顔を左側後部ウインドウガラスに向け当該ミラーを見る事により足元を含め車内の後部座席も確認する事が出来る事を特徴とする多機能なミラー。
【請求項２】
前記ミラーは広角ミラーであるがフラットなフレネル型ミラーでありその周囲は安全の為角を無くしている事を特徴とする請求項１に記載のミラー。
【請求項３】
前記ミラーはウインドウガラスに密着させる為にその裏面に両面テープを備え更にその両面テープの剥離紙の表面上の一部に仮止めの為の両面テープを備える事を特徴とする請求項１ないし請求項２に記載のミラー。
【請求項４】
前記ミラーはその背面即ちウインドウガラスを挟んでその外側に太陽光の熱や紫外線からの影響を極力防ぐための印刷可能なステッカーを貼る事を特徴とする請求項１ないし請求項３に記載のミラー。
【請求項５】
前記ミラーは後部ウインドウガラスに少なくとも１個設置され左ハンドル車においては右ハンドル車とは左右が逆となることを特徴とする請求項１ないし請求項４に記載のミラー。
【考案の詳細な説明】
【技術分野】
【０００１】本考案は右ハンドル車において車両をバックさせる時に運転者が左側から後ろを向いて安全を確認する為の車両の右側確認鏡に車両を運転中に車両を停車させて後部座席の同乗者の様子を確認する為の車内視認ミラーを組み合わせた多機能なミラーに関するものである。
【背景技術】
【０００２】車両をバックさせる時車両の右側や後部の安全を確認するには車両の右側確認鏡が発明されている。又車両を運転中停車した時に後部座席の様子を確認するにはタクシー等の事業用車両の車内視認ミラーが考案されている。
しかしこの両者は共に左側後部ウインドウガラスの内側に配置されるフレネル型のミラーではあるが現在は別々の物として考案されている。
【先行技術文献】
【特許文献】
【０００３】
【特許文献１】特許第５２１２６７３号
【実用新案文献１】
実用新案第３１５７８３２号
【考案の概要】
【考案が解決しようとする課題】
【０００４】右ハンドル車の場合車両を駐車又は停車している状態からバックで動かす時車両の右側やその前後の安全確認には車両の右側確認鏡が発明されている。【０００５】又運転中に車両を停車させた時後部座席の様子を確認するにはタクシー等の事業用車両の車内視認ミラーが考案されている。  しかしこのミラーはタクシー等の事業用とされ例えば一般の自家用車に装備され後部座席の同乗者の様子を見るためのミラーとして考案されているものではない。【０００６】以上の事から車両の右側確認鏡とタクシー等の事業用車両の車内視認ミラーを自家用車用に用途を変更したミラーの両方のミラーの機能を備え事業用車両だけでなく一般の自家用車両でも利用出来安価で安全と安心が提供される装置が求められている。
【課題を解決するための手段】
【０００７】車両をバックさせる時の安全確認ミラーである車両の右側確認鏡と車両を運転中に停車した時の後部座席の様子を確認する為のタクシー等の事業用車両の車内視認ミラーを一般自家用車にも使用出来る様に変更し両方のミラーを組み合わせ同一の装置で両方の機能を持った多機能ミラーを考案する。
【考案の効果】
【０００８】バックモニターが装備されていない車両をバックさせる時の右側や後方の安全確認と車内の後部座席の状況を確認する事が楽に出来る事によりバックが苦手な運転者や小さな子供やお年寄りを後部座席に同乗させた運転者が安心して運転できるようになり、車両の安全性や安心感が増し車両がより便利な乗り物として認識される様になる。
【図面の簡単な説明】
【０００９】
【図１】車両の平面図  右ハンドル車のミラーの位置と視界の関係図
【図２】車両の右側面図  ミラーの位置と視界の関係図
【図３】車両の平面図  左ハンドル車のミラーの位置と視界の関係図
【図４】ミラーの正面図  ミラーの車内からの正面図
【図５】ミラーの裏面図  ミラーの裏面での両面テープの図
【図６】ステッカーの図  印刷可能なステッカーの図
【図７】ミラーの断面図  ミラーとガラスとステッカーの配置と断面図
【考案を実施するための形態】
【実施例１】
【００１０】図１は車両の平面図である      右ハンドル車の場合車両の運転席に座り左側から後ろを向いて車両をバックさせる時に車両の右外側やその後部を確認する事や運転中停車して後部座席の特に右側を確認するのは体勢上非常に困難である。    そこで運転者が車両をバックさせる時の車両の右側確認鏡と運転中車両を停車させて後部座席の様子を確認するタクシー等の事業用車両の車内視認ミラーの両方は同位置にミラーを設置されることが可能なので同一の装置として両方の機能を共用する事が出来る。【００１１】以上の事から車両の右側確認鏡にタクシー等の事業用車両の車内視認ミラーの用途を変更して自家用車にも使用出来る様にしたミラーを組み合わせる事により同一の装置で便利な多機能ミラーとなる。
【実施例２】
【００１２】図２は車両の右側面図である      この図は一例として軽自動車の様子を表した図である。  車種としてはハイト系で車高が高くてウインドウが大きい車種であるのでミラーに映る画像は車外の様子は広く見え車内の後部座席の様子もよく見える。    例えばチャイルドシートを後部座席に固定した場合では通常運転席の後の座席即ち後部座席の右側は足元まで含め見渡す事はほぼ不可能であるが本装置を設置すると楽に見渡せる。【００１３】この他ミニバン等座席が３列の場合などにも対応できるようにミラーを複数個設置する事も出来る。  又ミラーに映る画像は上部に車外の右側から後部にかけての様子がそして下部に車内の後部座席の様子が映る。
【実施例３】
【００１４】図３は左ハンドル車の場合の平面図である
左ハンドル車の場合は右ハンドル車の場合と左右が逆になる。
【実施例４】
【００１５】図４はミラーの正面図である  このミラーは車内のウインドウガラス内側に設置される装置なので安全な物でなければならない。    そのため広角ミラーではあるがフレネル型ミラーになっており平面でウインドウガラスに密着出来る形状である。  しかも車内で使用される装置なので縁に角が無い等の安全な形状になっている。
【実施例５】
【００１６】図５はミラーをウインドウガラスに貼る前の裏面の図である
車両に設置する前のミラーの裏面には全面に両面テープが貼付されておりその表面には剥離紙が貼付されている。  さらにその剥離紙の表面の一部にはミラーの位置を仮に決める為の仮貼り用の両面テープが貼付されている。
【実施例６】
【００１７】図６はステッカーの図である    このステッカーはウインドウガラスを挟んでミラーの裏側に貼るもので太陽光の熱や紫外線からの影響を避けるためのものである。  その表面は文字やイラスト等を印刷する事が出来る。
【実施例７】
【００１８】図５はミラーガラス等の断面図である    ミラーはウインドウガラスの内側に密着させる様な形状となっている。  同じくウインドウガラスを挟んでその外側には太陽光の熱や紫外線からミラーを保護する為の印刷可能なステッカーを配置させている。
【符号の説明】
【００１９】１    ミラー
２    ミラーで確認出来る範囲
３    運転者
４    ハンドル
５    ステッカー
６    仮貼りの為の両面テープ
７    文字やイラスト等
８    ウインドウガラス
【図１】
0003202547.tif 000003
【図２】
0003202547.tif 000004
【図３】
0003202547.tif 000005
【図４】
0003202547.tif 000006
【図５】
0003202547.tif 000007
【図６】
0003202547.tif 000008
【図７】
0003202547.tif 000009